(57)【要約】【課題】アクチュエータを用いたいわゆる加振型のスピーカー装置であっても、より広い周波数帯域をカバーできるようにすると共に、種々の材質や厚みの音響振動板を用いることができるようにする。【解決手段】音響振動板１に対して所定長分接触するようにして振動伝達部材２を設け、この振動伝達部材２に対して、再生する音声に応じた振動を、アクチュエータ３によって加える。これにより、振動伝達部材２を通じて効率よく振動を音響振動板１に伝達し、音響振動板１を直接に加振する場合に比べて、振動の伝達効率（伝播効率）改善し、放音される音声について、より広い周波数帯域をカバーできるようにする。【選択図】図１
2010263512.tif 000002
【特許請求の範囲】
【請求項１】
音響振動板と、
前記音響振動板に対して、所定の長さ分接触するようにして設けられ、前記音響振動板に対して振動を伝達する振動伝達部材と、
再生する音声信号に応じた振動を前記振動伝達部材に加えることにより、当該振動伝達部材を通じて前記音響振動板に振動を伝達して音響を発生させるアクチュエータと
を備えるスピーカー装置。
【請求項２】
請求項１に記載のスピーカー装置であって、
前記振動伝達部材は、目的とする音響特性が実現可能なように、前記音響振動板に対して接触させる長さを調整したスピーカー装置。
【請求項３】
請求項１に記載のスピーカー装置であって、
前記振動伝達部材は、連続性を維持して形成される曲線部分を含むスピーカー装置。
【請求項４】
請求項１に記載のスピーカー装置であって、
前記振動伝達部材は、前記音響振動板の複数の位置に対して設けられる複数の振動伝達部材からなり、
前記アクチュエータは、前記複数の振動伝達部材に対して、振動を加えるスピーカー装置。
【請求項５】
請求項１に記載のスピーカー装置であって、
前記振動伝達部材は、その長さが調整可能なように構成されているスピーカー装置。
【請求項６】
請求項１に記載のスピーカー装置であって、
前記音響振動板は、複数の音響振動板からなり、
前記振動伝達部材は、前記複数の音響振動板に接触するように設けられるスピーカー装置。
【請求項７】
請求項１に記載のスピーカー装置であって、
前記音響振動板は、複数の音響振動板からなり、
前記振動伝達部材は、前記複数の音響振動板のそれぞれ毎に設けられるスピーカー装置。
【請求項８】
請求項６または請求項７に記載のスピーカー装置であって、
前記複数の音響振動板は、異なる材質の音響振動板が含まれるスピーカー装置。
【請求項９】
請求項１に記載のスピーカー装置であって、
前記振動伝達部材は、前記音響振動板の左側に接触して設けられる左音声チャンネル用の振動伝達部材と、前記音響振動板の右側に接触して設けられる右音声チャンネル用の振動部材とからなり、
前記アクチュエータは、左音声チャンネルの音声信号に応じて前記左音声チャンネル用の振動伝達部材に対して振動を加える左音声チャンネル用のアクチュエータと、右音声チャンネルの音声に応じて前記右音声チャンネル用の振動伝達部材に対して振動を加える右音声チャンネル用のアクチュエータとからなるスピーカー装置。
【請求項１０】
請求項１に記載のスピーカー装置であって、
前記音響伝達板は、板状、円筒上、その他の立体状に形成されるスピーカー装置。
【発明の詳細な説明】
【技術分野】
【０００１】
この発明は、例えば、超磁歪アクチュエータなどのアクチュエータによって発生させる音声信号に応じた振動を、音響振動板に伝達して音響を発生させる加振型の構成を有するスピーカー装置に関する。
【背景技術】
【０００２】
スピーカー装置として、ボイスコイルおよびコーンを有する通常のスピーカーユニットではなく、超磁歪アクチュエータなどのアクチュエータによってアクリルなどからなる音響振動板に振動を加えて音響を発生させるものが考えられ、実用化されている。
【０００３】
具体的に、特許文献１には、円筒状の音響振動板を鉛直に支持し、音響振動板の下端側に磁歪アクチュエータを複数配置して、それぞれの磁歪アクチュエータの駆動ロッドを音響振動板の下端面に当接させ、音響振動板に軸方向の振動を加える装置が示されている。
【０００４】
このスピーカー装置では、まず円筒状の振動板の端面を加振することで、円筒の長さ方向へ瞬時に粗密波が伝播する。この粗密波が伝播する過程で固体が持つポワソン比により円筒の径方向（円筒の長さ方向に直交する方向）へ力が発生する。この力によって径方向の振動が起こり、結果として円筒の振動板全体から音波が発生する。
【０００５】
なお、ここでポアソン比は、弾性体を引き伸ばしたとき、または押し縮めたときに、その力方向の伸びまたは縮みと、当該力方向に直交する方向である垂直方向の縮み、または伸びとの比を意味する。
【０００６】
そして、当該スピーカー装置では、音響振動板の軸方向のどの位置でも均一なレベルで音波が放射され、音響振動板の高さ（長さ）方向の全体に渡って均一な音像が形成される。すなわち、高品位な再生音場を実現できる。
【先行技術文献】
【特許文献】
【０００７】
【特許文献１】特開２００７−１６６０２７号公報
【発明の概要】
【発明が解決しようとする課題】
【０００８】
ところで、上述した特許文献１に開示された加振型のスピーカー装置は、基本的に、１つの音響振動板をアクチュエータによって加振することにより音響を発生させる構成である。
【０００９】
このため、音響振動板の材質や厚み等によって、その音響振動板の粗密波の伝達特性は決まってしまうので、カバー可能な周波数帯域を広げたい場合に限界がある程度決まってしまうと考えられる。
【００１０】
また、上述した特許文献１に開示された加振型のスピーカー装置の場合、音響振動板にある程度の厚みがないと粗密波が効率よく伝達されない。このため、加振型のスピーカー装置において、薄い材質の音響振動板を用いるようにすると、当該音響振動板の全体にわたって効率よく振動を伝播（伝達）させることができず、良好な再生音場を形成できない場合があると考えられる。
【００１１】
以上のことに鑑み、この発明は、アクチュエータを用いたいわゆる加振型のスピーカー装置であっても、より広い周波数帯域をカバーできるようにすると共に、種々の材質や厚みの音響振動板を用いることができるようにすることを目的とする。
【課題を解決するための手段】
【００１２】
上記課題を解決するため、請求項１に記載の発明のスピーカー装置は、
音響振動板と、
前記音響振動板に対して、所定の長さ分接触するようにして設けられ、前記音響振動板に対して振動を伝達する振動伝達部材と、
再生する音声信号に応じた振動を前記振動伝達部材に加えることにより、当該振動伝達部材を通じて前記音響振動板に振動を伝達して音響を発生させるアクチュエータと
を備える。
【００１３】
この請求項１に記載の発明のスピーカー装置によれば、音響振動板に対して所定長分接触するようにして振動伝達部材が設けられ、この振動伝達部材に対して、再生する音声に応じた振動が、アクチュエータによって加えられる。
【００１４】
これにより、振動伝達部材を通じて効率よく振動を音響振動板に伝達することができるので、音響振動板を直接に加振する場合に比べて、振動の伝達効率（伝播効率）改善し、より広い周波数帯域をカバーできるようにされる。また、音響振動板への振動の伝達効率がよくなることによって、音響振動板の材質や厚みなどの選択範囲を広げることができる。
【発明の効果】
【００１５】
この発明によれば、アクチュエータを用いたいわゆる加振型のスピーカー装置において、音響振動板への振動の伝達効率を向上させ、より広い周波数帯域をカバーできるようにすることができる。また、音響振動板への振動の伝達効率が向上することによって、音響振動板の素材や厚みなどの選択範囲を広げることができる。
【図面の簡単な説明】
【００１６】
【図１】この発明の一実施の形態が適用された加振型のスピーカー装置を説明するための図である。
【図２】この実施の形態のスピーカー装置において用いられるアクチュエータの構成例を説明するための図である。
【図３】この発明の一実施の形態が適用されたスピーカー装置から放音される音声の放音時間差について説明するための図である。
【図４】振動伝達部材を用いない場合の加振型のスピーカー装置から放音される音声の放音時間差について説明するための図である。
【図５】音響振動板１に対する振動伝達部材２の接触長について説明するための図である。
【図６】音響振動板１に対する振動伝達部材２の接触長について説明するための図である。
【図７】音響振動板１に対して振動伝達部材２を設ける場合の設置位置や設置の仕方のバリエーションを説明するための図である。
【図８】音響振動板１に対して振動伝達部材２を設ける場合の設置位置や設置の仕方のバリエーションを説明するための図である。
【図９】音響振動板１に対して振動伝達部材２を設ける場合の設置位置や設置の仕方のバリエーションを説明するための図である。
【図１０】音響振動板１に対して振動伝達部材２を設ける場合の設置位置や設置の仕方のバリエーションを説明するための図である。
【図１１】音響振動板１に対して振動伝達部材２を設ける場合の設置位置や設置の仕方のバリエーションを説明するための図である。
【図１２】音響振動板１に対して振動伝達部材２を設ける場合の設置位置や設置の仕方のバリエーションを説明するための図である。
【図１３】音響振動板を円筒状に形成した場合の例を説明するための図である。
【図１４】２枚の音響振動板１ａ、１ｂを用いるスピーカー装置の例を説明するための図である。
【図１５】マグネシウムと紙の振動特性を説明するための図である。
【図１６】２枚の音響振動板１ａ、１ｂを用いるスピーカー装置の他の例を説明するための図である。
【図１７】３枚の音響振動板１ａ、１ｂ、１ｃを用いるスピーカー装置の例を説明するための図である。
【図１８】３枚の音響振動板１ａ、１ｂ、１ｃを用いるスピーカー装置の他の例を説明するための図である。
【図１９】この発明による一実施の形態のスピーカー装置の応用例について説明する。
【発明を実施するための形態】
【００１７】
以下、図を参照しながら、この発明によるスピーカー装置の一実施の形態について説明する。
【００１８】
［実施の形態で説明する加振型のスピーカー装置の基本的な構成］
図１は、この発明の一実施の形態が適用された加振型のスピーカー装置を説明するための図である。
【００１９】
図１に示すように、この実施の形態のスピーカー装置は、音響振動板１と、当該音響振動板１の左側と右側のそれぞれに設けられた振動伝達部材２と、アクチュエータ３とから構成されている。
【００２０】
音響振動板１は、例えば、アクリル板で形成されたものであり、この実施の形態においては、例えば、厚さ２〜３ｍｍ、縦３０ｃｍ×横４０ｃｍ程度の大きさのものである。もちろんこれは一例であり、音響振動板１の厚さや大きさは、種々のものとすることが可能である。なお、音響振動板１は、アクリル板の他にも、例えば、有機ガラスなど、種々の他の材料によって形成することも可能である。
【００２１】
振動伝達部材２は、例えば、炭素繊維（カーボンファイバーやカーボンナノファイバー）で形成されたものであり、この実施の形態においては、直径が１ｍｍ〜数ｍｍ程度の棒状（線状）に形成されたものである。そして、振動伝達部材２は、音響振動板１に対して接触して固定される。
【００２２】
なお、振動伝達部材２は、上述したように棒状に形成されたものであるが、その形状は、円柱状、角柱状、板状など、種々の形状とすることが可能である。すなわち、振動伝達部材２は、棒状に形成されるが、その断面の形状は、円形、半円形、矩形、その他の種々の形状とすることが可能である。
【００２３】
そして、振動伝達部材２の音響振動板１への固定は、接着剤や接着テープなどにより接着させたり、熱を加えて融着したり、あるいは、音響振動板１に対して埋め込んだりするなど、種々の方法によって行うことができる。なお、ここで重要なことは、固定の方法ではなく、振動伝達部材２が音響振動板１に対して、所定の長さ分接触して設けられる点である。
【００２４】
また、振動伝達部材２は、炭素繊維の他にも、例えば、鋼鉄製のピアノ線など、他の材料によって形成されたものを用いるようにすることも可能である。すなわち、振動伝達部材２は、例えば、炭素繊維や鋼鉄材など、「内部損失」が小さく、「音速」が速い材料であることが必要である。
【００２５】
ここで、「内部損失」は文字通り、固体中に振動が伝播する時の損失を意味し、換言すれば振動が伝わり易いか否かを示すものである。したがって、「内部損失」が小さければ伝播ロスが少ないことを意味し、「振動が効率よく伝播する」ということになる。また、「音速」は、弾性体や連続体内を伝播する弾性波の伝達速度を意味する。
【００２６】
これら「内部損失」と「音速」とに着目すると、振動伝達部材２として最も望ましい材質（材料）としては、振動伝播効率が良いことが必要であるため、まず、「内部損失」が小さい材料であることが必要である。
【００２７】
さらに、振動伝達部材２の始点（加振点）と終点（加振点から最も離れたところ）の時間遅れを最小にするために、「音速」が速い材料である必要がある。
【００２８】
このように、振動伝達部材２としては、「内部損失」と「音速」とに基づいて、適切なものを選択し、用いるようにすればよい。具体的には、音響振動板１よりも、「内部損失」が小さく、「音速」が速い種々の材質のものを用いるようにすればよい。
【００２９】
そして、振動伝達部材２は、その一端が、アクチュエータ３を搭載するために音響振動板１に設けられる角穴部の上端に露呈するようにして設けられる。
【００３０】
これにより、音響振動板１の角穴部４にアクチュエータ３が搭載された場合に、角穴部４の上端に露呈した振動伝達部材２の一端を、アクチュエータ３のロッド（加振部）によって加振することができるようにされる。
【００３１】
［アクチュエータの構成例］
ここで、この実施の形態のスピーカー装置において用いられるアクチュエータ３の構成例について説明する。なお、この実施の形態のスピーカー装置においては、圧電アクチュエータ、動電アクチュエータ、超磁歪アクチュエータなど種々のアクチュエータを用いることが可能である。
【００３２】
圧電アクチュエータは、電圧を印加することで変位を起こす素子を用いたものである。動電アクチュエータは、電流を用いて、コイルと磁石で振動を発生させるものである。超磁歪アクチュエータは、外部からの磁界に応じて素子寸法が変化する超磁歪素子を用いたものである。
【００３３】
ここでは、利用可能なアクチュエータの１つとして、超磁歪アクチュエータの構成例について説明する。図２は、この実施の形態のスピーカー装置で用いられる超磁歪アクチュエータ３の構成例を説明するための図である。この例は、超磁歪素子に予荷重が加えられる場合で、図２（Ａ）は上面図、図２（Ｂ）は側断面図である。
【００３４】
アクチュエータ本体として、棒状の超磁歪素子３１の周囲にソレノイドコイル３２が配置され、ソレノイドコイル３２の周囲にマグネット３３およびヨーク３４が配置される。
【００３５】
さらに、超磁歪素子３１の一端に駆動ロッド３５が連結され、超磁歪素子３１の他端に固定盤３６が取り付けられる。
【００３６】
このアクチュエータ本体が、駆動ロッド３５の先端部が外筐ケース３９の外側に突出するように、例えばアルミニウムからなる外筐ケース３９内に装填される。
【００３７】
さらに、駆動ロッド３５にはシリコンゴムなどからなるダンピング材３７が装填されるとともに、固定盤３６の背後にはネジ３８が挿入されて、超磁歪素子３１に予荷重が加えられる。
【００３８】
図１に示したスピーカー装置では、図２に示した構成のアクチュエータ３が、音響振動板１の角穴部４に搭載されて固定される。
【００３９】
この場合、制御磁界の変化に対して磁歪値が直線的に変化する磁界範囲が広く、かつその磁界範囲での制御磁界の変化に対する磁歪値の変化が大きい磁歪特性が得られるようにする。例えば、アクチュエータ３の下部に配置するコイルスプリングなどの圧縮により超磁歪素子３１への荷重を調整することができる。
【００４０】
［この実施の形態のスピーカー装置の動作］
このような構成のアクチュエータ３のソレノイドコイル３２に対して、音声信号に応じた駆動電流を供給すると、これに応じて発生する磁界の影響により、超磁歪素子３１が伸縮する。
【００４１】
これにより、アクチュエータ３の駆動ロッド３５が上下して、図１に示したように、駆動ロット３５により振動伝達部材２の端部が叩かれる。このようにして、アクチュエータ３によって、音響振動板１でなく、音響振動板１に接触するようにして設けられた振動伝達部材２に対して音声信号に応じた振動が加えられる。
【００４２】
そして、振動伝達部材２は、上述もしたように炭素繊維で形成された棒状のものであり、上述もしたように、アクリル板である音響振動板１よりも、「内部損失」が小さく、また、「音速」の速いものである。
【００４３】
このため、振動伝達部材２の一端を加振することによって、振動が振動伝達部材２を効率よく伝播して振動伝達部材２の他端にまで到達する。
【００４４】
そして、振動伝達部材２は、音響振動板１に接触して設けられているので、音響振動板１を直接加振する場合に比べて、アクチュエータ３によって加えられた振動を、効率よく音響振動板１に対して伝達することができる。
【００４５】
これにより、音響振動板１において粗密波が効率よく伝播し、アクチュエータ３による加振に対してより適切に音響振動板１が振動することにより、音響振動板１が発する音声の周波数帯域を広げることができる。
【００４６】
［音響振動板１からの音声の放音時間差］
また、振動伝達部材２の音速が、音響振動板１の音速よりも速い場合には、音響振動板１から放音される音声の加振軸方向での放音時間差を小さくすることができる。この放音時間差について具体的に説明する。
【００４７】
図３、図４は、音響振動板１から放音される音声の加振軸方向での放音時間差について説明するための図である。このうち、図３は、振動伝達部材２を用いたこの実施の形態のスピーカー装置に関するものである。図４は、振動伝達部材２を用いないスピーカー装置に関するものである。
【００４８】
そして、図３は、図１に示したスピーカー装置を、図１において矢印ａが示すように、その側面側から見た場合の図である。図３に示したように、音響振動板１の内部には、振動伝達部材２が埋め込まれた状態になっている。したがって、振動伝達部材２は、その全周囲が音響振動板１に接触した状態になっている。
【００４９】
また、図３において、点線で示している面が、音響振動板１に対して平行な面であり、実線で示している面が、音響振動板１から放音させる音声の音波面Ａｕである。
【００５０】
そして、図３に示したように構成されるスピーカー装置において、振動伝達部材２をアクチュエータ３により加振すると、その振動は振動伝達部材２を通じて音響振動板１の全体に迅速に伝達される。
【００５１】
この場合、アクチュエータ３の近傍の音響振動板１の下側部分においては、アクチュエータ３に近い分、振動の伝わりが速いので、音響振動板１の上側部分よりも若干速く音が放音される。
【００５２】
しかし、アクチュエータ３により加振される振動は、振動伝達部材２を通じて音響振動板１の上側部分にも迅速に伝達されるので、音響振動板１において、その下側部分と受側部分とで放音時間差を小さくすることができるのである。
【００５３】
具体的には、図３に示したように、点線で示した音響振動板１に対して平行な面と、実線で示した音響振動板１から放音させる音声の音波面Ａｕとのなす角度βを小さくすることができるようにされる。
【００５４】
これに対して、図４に示すように、振動伝達部材２を用いない加振型のスピーカー装置について見てみる。図４においても、点線で示している面が、音響振動板１に対して平行な面であり、実線で示している面が、音響振動板１から放音させる音声の音波面Ａｕである。
【００５５】
図４に示した振動伝達部材２を用いない加振型のスピーカー装置の場合、振動伝達部材２が存在しない分、アクチュエータ３により与えられる振動が、音響振動板１の上側部分に伝わるまでに時間がかかる。
【００５６】
このため、図４に示したように、点線で示した音響振動板１に対して平行な面と、実線で示した音響振動板１から放音させる音声の音波面Ａｕとのなす角度αは、図３に示した角度βよりも大きくなっている。
【００５７】
この図３と図４とを比較すると分るように、振動伝達部材２を音響振動板１に接触させ、当該振動伝達部材２に対してアクチュエータ３で加振する場合、音響振動板１を直接に加振する場合よりも、振動を音響振動板１の全体に迅速に伝達することができる。
【００５８】
このように、音響振動板１よりも、「内部損失」が小さく、かつ、「音速」の速い材質の振動伝達部材２を用いることにより、振動伝達部材２を通じて時間遅れなく、音声に応じた振動を、音響振動板１の全体に対して加えるようにすることができる。
【００５９】
これにより、音響振動板１を効果的に振動させることができるので、音響振動板１を振動させることにより放音される音響（音声）の周波数帯域を広げ、より良好な再生音場を形成することができる。また、別の言い方をすれば、振動伝達部材２を通じて、音像がより音響振動板１の全体に定位するようにすることができ、より良好な再生音場を形成することができる。
【００６０】
［振動伝達部材２の音響振動板１に対する接触長］
ところで、上述した実施の形態のスピーカー装置の場合には、音響振動板１はアクリル板により形成され、振動伝達部材２は炭素繊維により形成されたものとして説明した。しかし、音響振動板１や振動伝達部材２は、種々の素材（材質）によって形成することが可能である。
【００６１】
そして、素材毎に「内部損失」や「音速」は異なっている。このため、音響振動板１と振動伝達部材２との一方または両方の材質、形状、大きさ等に応じて、音響振動板１に対して振動伝達部材２を接触させる長さ（接触長）を種々に調整することが可能である。
【００６２】
図５、図６は、音響振動板１に対する振動伝達部材２の接触長について説明するための図である。
【００６３】
例えば、音響振動板１と振動伝達部材２との一方または両方が、「内部損失」があまり小さくなく、音速があまり速くない素材のものである場合には、図５（Ａ）に示すように、音響振動板１に対して振動伝達部材２を長めに接触させる。
【００６４】
そして、音響振動板１と振動伝達部材２との一方または両方について、「内部損失」が小さく、「音速」の速い素材になれば、図５（Ｂ）、図５（Ｃ）に示すように、音響振動板１に対して接触させる振動伝達部材２の長さを短くする。
【００６５】
また、１つのアクチュエータによって、音響振動板１に対してより効率よく振動を伝達させるために、例えば、図６（Ａ）、（Ｂ）、（Ｃ）に示すように、音響振動板１の２辺、３辺、４辺に沿うように、振動伝達部材２を接触させて設けるようにすることもできる。
【００６６】
なお、この場合、振動伝達部材２の振動の伝達特性を劣化させないようにするために、その折り曲がり部は曲線となるようにされる。全体的には、振動伝達部材２は、連続性を持った曲線となるようにすることが好ましい。
【００６７】
このように、音響振動板１や振動伝達部材２の一方または両方の素材、大きさ、形状等に応じて、目的とする音響特性（周波数特性、時間応答、位相特性等）が実現可能なように、音響振動板１に対する振動伝達部材２の接触長を種々に調整することが可能である。
【００６８】
［振動伝達部材２の設置位置や設置の仕方のバリエーション］
図７〜図１２は、音響振動板１に対して振動伝達部材２を設ける場合の設置位置や設置の仕方のバリエーションを説明するための図である。
【００６９】
［バリエーション１］
図１においては、音響振動板１の左右に１つずつの振動伝達部材２を設けるようにした。しかし、図７に示すように、音響振動板１の中央部分に１つの振動伝達部材２を設けるようにすることも可能である。この場合には、アクチュエータ３を搭載するための角穴部４も１つでよく、用いるアクチュエータ３も１つとなる。
【００７０】
［バリエーション２］
また、図１に示したように、振動伝達部材２の内側に振動伝達部材２を設けるのではなく、図８に示すように、音響振動板１の側面に振動伝達部材２ａ、２ｂを設けるようにしてもよい。
【００７１】
この場合、振動伝達部材２ａ、２ｂに対して振動を加えるためのアクチュエータを適切な位置に搭載するために、図８に示すように、振動伝達部材２ａ、２ｂの下端部の下側に切り欠き部６を設けるようにすればよい。
【００７２】
このように、振動伝達部材２は、音響振動板１の内側に設ける場合に限定することなく、音響振動板１の側面などに接触させて設けることも可能である。要は、振動伝達部材２は、音響振動板１に対してある程度の接触長を有するように、音響振動板１に対して接触させて設けるようにすればよい。
【００７３】
なお、上述したスピーカー装置の場合には、音響振動板１に対して角穴部４や切り欠き部６を設けることにより、音響振動板１の内側にアクチュエータ３の全部または一部が位置するようにした。しかし、これに限るものではない。
【００７４】
アクチュエータ３は、音響振動板１の外側に位置するように設けるようにしてもよい。要は、音響振動板１に対して接触するようにして設けられる振動伝達部材２に対して振動を加えることが可能な適宜の位置に、アクチュエータ３を設けることができる。
【００７５】
［バリエーション３］
また、振動伝達部材２は、音響振動板１の短辺に沿うように設けるようにしたが、これに限るものではない。例えば、図９において、振動伝達部材２ａが示すように、音響振動板１に対して斜めに配設するようにしてももちろんよい。この場合、振動伝達部材２ａは、振動伝達部材２ａの近傍の両矢印が示す方向に加振するようにされ、音響振動板１に対して振動を伝達することができる。
【００７６】
また、図９において、振動伝達部材２ｂが示すように、音響振動板１の縦方向に（短辺に沿うように）、振動伝達部材を配設するようにしてもよい。この場合、振動伝達部材２ｂは、振動伝達部材２ｂの近傍の両矢印が示す方向に加振され、音響振動板１に対して振動を伝達することができる。
【００７７】
［バリエーション４］
また、音響振動板は、例えば、アクリル板により形成されるものであり、湾曲部分を持たせるようにして形成することも可能である。例えば、図１０に示すように、湾曲した部分を有する湾曲音響振動板１ａを形成したとする。
【００７８】
振動伝達部材は、上述もしたように、炭素繊維により棒状に形成されたものや、鋼鉄が用いられて形成されたいわゆるピアノ線などである。このため、図１０に示すように、振動伝達部材２ａを、湾曲音響振動板１ａの湾曲部分に沿って接触させて設けることが可能である。
【００７９】
この場合、振動伝達部材２ａは、振動伝達部材２ａの近傍の両矢印が示す方向に加振するようにされ、音響振動板１ａに対して振動を伝達することができる。
【００８０】
また、図１０において、振動伝達部材２ｂが示すように、音響振動板１ａの横方向に（長辺に沿うように）、振動伝達部材を配設するようにしてもよい。この場合、振動伝達部材２ｂは、振動伝達部材２ｂの近傍の両矢印が示す方向に加振され、音響振動板１ａに対して振動を伝達することができる。
【００８１】
このように、振動伝達部材は、音響振動板に対して種々の位置に配設することが可能である。また、音響振動板が湾曲部分を有するものであっても、その湾曲部分に沿って、振動伝達部材を配設し、湾曲部分を有する音響振動板に対しても適切に振動を伝達することもできる。
【００８２】
［バリエーション５］
また、上述した実施の形態の例は、１つのアクチュエータが、１本の振動伝達部材を加振するようにしたが、これに限るものではない。１つのアクチュエータによって複数の振動伝達部材を加振したり、１つアクチュエータによって、分岐するようにされた振動伝達部材を加振したりする構成とすることも可能である。
【００８３】
図１１は、両端アクチュエータ５によって、２つの振動伝達部材２ａ、２ｂを加振するように構成したスピーカー装置の例である。
【００８４】
図１１において、両端アクチュエータ５は、例えば、図２を用いて説明した超磁歪アクチュエータ３について、上側だけでなく下側にも駆動ロッド３５やダンピング材３７を設けるように構成したものである。
【００８５】
これにより、両端アクチュエータ５は、一方の駆動ロッドによって、音響振動板１の左側に設けられる振動伝達部材２ａを加振し、他方の駆動ロッドによって、音響振動板１の右側に設けられる振動伝達部材２ｂを加振する。
【００８６】
そして、振動伝達部材２ａ、２ｂのそれぞれは、音響振動板１に対して接触するようにして設けられているので、両端アクチュエータ５によって与えられた振動が、振動伝達部材２ａ、２ｂを通じて、音響振動板１に効率よく伝達するようにされる。
【００８７】
［バリエーション６］
図１２は、途中で分岐するようにされた振動伝達部材２ｃを用いて構成したスピーカー装置の例である。
【００８８】
図１２において、アクチュエータ３は、図２を用いて説明した構成を有するものである。また、この例のスピーカー装置で用いられる振動伝達部材２ｃは、図１２に示したように、途中から３本に分岐した構成になっている。
【００８９】
そして、図１２に示したように、振動伝達部材２ｃは、３本に分岐した１つが、音響振動板１の左側部分に、他の１つが、音響振動板１の中央部分に、他の１つが、音響振動板１の右側部分にそれぞれ接触するようにされている。
【００９０】
また、振動伝達部材２ｃにおいて、分岐部分は曲線となるようにされている。これにより、振動伝達部材２ｃの各分岐部分において振動の伝達効率が低下することがないようにしている。
【００９１】
そして、この例の場合、アクチュエータ３によって振動伝達部材２ｃの端部が加振されることにより、その振動が分岐された各部分を通じて、音響振動板１の全体に効率よく振動を伝達することができる。
【００９２】
このように、１つのアクチュエータによって複数の振動伝達部材を加振したり、１つアクチュエータによって、分岐するようにされた振動伝達部材を加振したりする構成とすることにより、より効率よく振動を音響振動板１に伝達できる。
【００９３】
なお、図１１、図１２に示した例は、一例であり、音響振動板１に対して振動伝達部材を設ける位置や分岐数などは、適宜のものとすることができる。
【００９４】
［音響振動板の形状や音響振動板の用い方の変形例］
ところで、音響振動板は、上述したように、矩形のものに限るものではない。例えば、円形、半円形、扇形、三角形、星型など種々の形状とすることができる。また、音響振動板は、種々の立体形状とすることもできる。
【００９５】
［音響振動板が立体的形状である場合の例（変形例１）］
図１３は、音響振動板を円筒状に形成した場合の例を説明するための図である。図１３に示すように、円筒上に形成された音響振動板１ｘは、例えば数ｍｍ程度の厚みを有するものである。
【００９６】
そして、音響振動板１ｘの内部には、音響振動板１ｘの底面側からアクチュエータによって加振される位置であって、音響振動板１ｘの高さ方向に振動伝達部材２ａ、２ｂ、２ｃ、２ｄが設けられた構成となっている。
【００９７】
振動伝達部材２ａ、２ｂ、２ｃ、２ｄのそれぞれは、音響振動板１の底面側に露呈するようにされており、アクチュエータによって直接に加振することができるようにされている。
【００９８】
これにより、円筒状に形成された音響振動板１ｘを用いる場合であっても、振動伝達部材２ａ、２ｂ、２ｃ、２ｄを通じて、音響振動板１ｘの全体にわたって、音声信号に応じた振動を効率よく伝達することができるようにされる。
【００９９】
したがって、放音可能な音声信号の周波数帯域を更に広げることができるなど、放音される音声の高音質かを実現することができる。
【０１００】
なお、ここでは、音響振動板を円筒状に形成した場合について説明したが、これに限るものではない。音響振動板を例えば、三角柱、四角柱、五角柱、六角中などのように種々の角数の角柱状に形成することも可能である。
【０１０１】
また、音響振動板を球形に形成したり、半球形に形成したりするなど、種々の立体形状とすることも可能である。
【０１０２】
そして、どのような立体形状の音響振動板を用いるようにした場合であっても、アクチュエータによって加振可能な位置に、振動伝達部材を設けるようにすればよい。なお、設ける数は、アクチュエータに対応して設ければよいし、振動伝達部材の長さも適宜の長さとすることができる。
【０１０３】
また、振動伝達部材は、音響振動板に埋め込まれて設けられる必要は無く、音響振動板のいずれかの位置に接触するようにして、種々の方法により固定するようにされていればよい。
【０１０４】
［音響振動板を複数用いる場合の例（変形例２）］
そして、上述したように、音響振動板に対しては、振動伝達部材を接触させて設けることにより、この振動伝達部材を通じて効率よくアクチュエータからの信号を伝達することができる。
【０１０５】
このため、音響振動板は、アクリル板に限ることなく紙、マグネシウムなどの金属、プラスチック、その他の種々の素材（材質）のものを用いることが可能である。また、音響振動板は、１つに限るものではなく、複数の音響振動板を用いるように構成することもできる。
【０１０６】
以下においては、音響振動板を複数用いるようにする場合の例について説明する。なお、以下に説明する例においては、異なる材質の音響振動板を用いる場合についても説明する。
【０１０７】
［音響振動板を複数用いる場合の第１の例］
図１４は、２枚の音響振動板１ａ、１ｂを用いるスピーカー装置の例を説明するための図である。図１４に示すように、音響振動板１ａは、マグネシウムで形成されたものであり、音響振動板１ｂは紙で形成されたものである。音響振動板１ａ、１ｂのそれぞれは、ある程度の厚みを有し、ユーザーが押さえていなくても、丸まったり、折れたりすることがないものである。
【０１０８】
そして、図１４に示すように、音響振動板１ａ、１ｂのそれぞれに対しては、その中央部分に振動伝達部材２が接触するようにして設けられている。この場合、音響振動板１ａ、１ｂに対して、振動伝達部材２は、例えば、接着剤などによって接着するようにされている。
【０１０９】
振動伝達部材２は、上述した実施の形態の場合と同様に、例えば、炭素繊維が棒状に形成されたものや、鋼鉄が用いられて形成されたピアノ線など、「内部損失」が小さく、「音速」が速いものである。
【０１１０】
そして、マグネシウムが用いられて形成された音響振動板１ａは、内部損失が比較的に小さく、高域部（高域側）の振動に対してよく反応する。このため、音響振動板１ａは、高域側の音声を放音するためのものとして用いられる。
【０１１１】
また、紙が用いられて形成された音響振動板１ｂは、マグネシウムに比べると内部損失も大きく、低域部（低域側）の振動に対してよく反応する。このため、音響振動板１ｂは、低域側の音声を放音するためのものとして用いられる。
【０１１２】
図１５は、マグネシウムと紙の振動特性を説明するための図である。図１５に示すように、マグネシウムにより形成された音響振動板１ａの場合には、高い周波数の振動に反応して、高音域の音声を音圧高く放音できるものである。これに対して、紙により形成された音響振動板１ｂの場合には、図１５に示すように、低い周波数の振動に反応して、低音域の音声を音圧高く放音できるものである。
【０１１３】
そして、音響振動板１ａ、１ｂのそれぞれに対して接触するようにされている振動伝達部材２の端部に対しては、図１４に示したようにアクチュエータ３によって音声信号に応じた振動が加振させる。
【０１１４】
これにより、音響振動板１ａ、１ｂのそれぞれに対しては、振動伝達部材２を通じて効率よく音声信号に応じた振動が伝達され、音響振動板１ａ、１ｂのそれぞれから伝達された振動に応じた音声が放音される。
【０１１５】
この場合、マグネシウムの音響振動板１ａと、紙の音響振動板１ｂとを用いることによって、高域側にも低域側にも再生周波数特性を拡大することができる。つまり、総合的に再生周波数特性を拡大させ、良好な再生音場を形成することができるようにされる。
【０１１６】
［音響振動板を複数用いる場合の第２の例］
図１６は、２枚の音響振動板１ａ、１ｂを用いるスピーカー装置の他の例を説明するための図である。図１５に示すように、この例の場合にも、音響振動板１ａは、マグネシウムで形成されたものであり、音響振動板１ｂは紙で形成されたものである。この例においても、音響振動板１ａ、１ｂのそれぞれは、ある程度の厚みを有し、ユーザーが押さえていなくても、丸まったり、折れたりすることがないものである。
【０１１７】
そして、図１６に示すように、この例の場合にも、音響振動板１ａ、１ｂのそれぞれに対して、その中央部分に振動伝達部材２ｘが接触するようにして設けられている。この例においても、振動伝達部材２ｘは、音響振動板１ａ、１ｂに対して、例えば、接着剤などによって接着するようにされている。
【０１１８】
振動伝達部材２ｘは、図１４に示した第１の例のスピーカー装置の場合と同様に、例えば、炭素繊維が棒状に形成されたものや、鋼鉄が用いられて形成されたピアノ線など、「内部損失」が小さく、「音速」が速いものである。
【０１１９】
しかし、この例の振動伝達部材２ｘは、図１６に示したように、２本に分岐するように構成されたものである。なお、分岐部分は、振動をできるだけ減衰させることがないように、曲線となるようにされている。
【０１２０】
そして、図１６に示すように、振動伝達部材２ｘの端部が、アクチュエータ３によって加振される。したがって、アクチュエータ３による加振に応じた振動が、振動伝達部材２ｘを通じて、音響振動板１ａ、１ｂのそれぞれに伝達される。
【０１２１】
これにより、音響振動板１ａ、１ｂのそれぞれに対しては、分岐するようにされた振動伝達部材２ｘを通じて効率よく振動が伝達され、音響振動板１ａ、１ｂのそれぞれから伝達された振動に応じた音声が放音される。
【０１２２】
この場合、図１４を用いて説明したスピーカー装置の場合と同様に、マグネシウムの音響振動板１ａと、紙の音響振動板１ｂとを用いることによって、高域側にも低域側にも再生周波数特性を拡大することができる。つまり、総合的に再生周波数特性を拡大させ、良好な再生音場を形成することができるようにされる。
【０１２３】
なお、この例の場合には、２本に分岐した振動伝達部材２ｘが用いられることにより、音響振動板１ａと、音響振動板１ｂとのそれぞれに対して、等しく（均等に）振動を伝達することができる。
【０１２４】
［音響振動板を複数用いる場合の第３の例］
図１７は、３枚の音響振動板１ａ、１ｂ、１ｃを用いるスピーカー装置の例を説明するための図である。図１７に示すように、音響振動板１ａは、マグネシウムで形成されたものであり、音響振動板１ｂ、１ｃは紙で形成されたものである。この例においても、音響振動板１ａ、１ｂ、１ｃのそれぞれは、ある程度の厚みを有し、ユーザーが押さえていなくても、丸まったり、折れたりすることがないものである。
【０１２５】
そして、図１７に示したように、音響振動板１ａ、１ｂ、１ｃのそれぞれに対しては、振動伝達部材２が接触するようにして設けられている。この例においても、振動伝達部材２は、音響振動板１ａ、１ｂ、１ｃのそれぞれに対して、例えば、接着剤などによって接着するようにされている。
【０１２６】
そして、この例の場合には、音響振動板１ａ、１ｂ、１ｃのそれぞれ毎に、振動伝達部材２と接触する位置が異なるようにされている。すなわち、音響振動板１ａに対しては、その右端側に振動伝達部材２が接触されている。また、音響振動板１ｂに対しては、その中央部分に振動伝達部材２が接触されている。また、音響振動板１ｃに対しては、その左端側に振動伝達部材２が接触されている。
【０１２７】
また、この例においても、振動伝達部材２は、上述した実施の形態の場合と同様に、例えば、炭素繊維が棒状に形成されたものや、鋼鉄が用いられて形成されたピアノ線など、「内部損失」が小さく、「音速」が速いものである。
【０１２８】
そして、この例においても、上述した第１、第２の例の場合と同様に、マグネシウムが用いられて形成された音響振動板１ａは、高域側の音声を放音するためのものとして用いられる。また、この例においても、上述した第１、第２の例の場合と同様に、紙が用いられて形成された音響振動板１ｂは、低域側の音声を放音するためのものとして用いられる。
【０１２９】
そして、音響振動板１ａ、１ｂ、１ｃのそれぞれに対して接触するようにされている振動伝達部材２の端部に対して、図１７に示すようにアクチュエータ３によって音声信号に応じた振動が加振される。
【０１３０】
これにより、音響振動板１ａ、１ｂ、１ｃのそれぞれに対しては、振動伝達部材２を通じて効率よく音声信号に応じた振動が伝達され、音響振動板１ａ、１ｂ、１ｃのそれぞれから伝達された振動に応じた音声が放音される。
【０１３１】
この場合、マグネシウムの音響振動板１ａと、紙の音響振動板１ｂ、１ｃとを用いることによって、高域側にも低域側にも再生周波数特性を拡大することができる。つまり、総合的に再生周波数特性を拡大させ、良好な再生音場を形成することができるようにされる。
【０１３２】
［音響振動板を複数用いる場合の第４の例］
図１８は、３枚の音響振動板１ａ、１ｂ、１ｃを用いるスピーカー装置の他の例を説明するための図である。図１８に示すように、この例の場合にも、音響振動板１ａは、マグネシウムで形成されたものであり、音響振動板１ｂ、１ｃは紙で形成されたものである。この例においても、音響振動板１ａ、１ｂ、１ｃのそれぞれは、ある程度の厚みを有し、ユーザーが押さえていなくても、丸まったり、折れたりすることがないものである。
【０１３３】
そして、図１８に示すように、この例の場合には、音響振動板１ａ、１ｂ、１ｃのそれぞれに対して、その中央部分に振動伝達部材２ｙが接触するようにして設けられている。この場合、音響振動板１ａ、１ｂ、１ｃに対して、振動伝達部材２ｙは、例えば、接着剤などによって接着するようにされている。
【０１３４】
振動伝達部材２ｙは、上述した第１〜第３の例のスピーカー装置の場合と同様に、例えば、炭素繊維が棒状に形成されたものや、鋼鉄が用いられて形成されたピアノ線など、「内部損失」が小さく、「音速」が速いものである。
【０１３５】
そして、この例の振動伝達部材２ｙは、図１８に示したように、３本に分岐するように構成されたものである。なお、分岐部分は、振動をできるだけ減衰させることがないように、曲線となるようにされる。
【０１３６】
そして、図１８に示すように、振動伝達部材２ｙは、その端部がアクチュエータ３によって加振される。したがって、アクチュエータ３による加振に応じた振動が、振動伝達部材２ｙを通じて、音響振動板１ａ、１ｂ、１ｃのそれぞれに伝達される。
【０１３７】
これにより、音響振動板１ａ、１ｂ、１ｃのそれぞれに対しては、振動伝達部材２ｙを通じて効率よく振動が伝達され、音響振動板１ａ、１ｂ、１ｃのそれぞれからは伝達された振動に応じた音声が放音される。
【０１３８】
この場合、マグネシウムの音響振動板１ａと、紙の音響振動板１ｂ、１ｃとを用いることによって、高域側にも低域側にも再生周波数特性を拡大することができる。つまり、総合的に再生周波数特性を拡大させ、良好な再生音場を形成することができるようにされる。
【０１３９】
なお、この例の場合には、３本に分岐した振動伝達部材２ｙが用いられることにより、音響振動板１ａと、音響振動板１ｂとのそれぞれに対して、等しく（均等に）振動を伝達することができる。
【０１４０】
［音響振動板を複数用いる場合のその他の例］
なお、用いる音響振動板の数は適宜の数とすることができる。その場合に、音響振動板毎に異なるアクチュエータによって加振する構成とすることも可能である。また、図１６、図１８を用いて説明したように、振動伝達部材を分岐するようにして、複数の音響振動板に対して１つのアクチュエータからの振動を伝達させるようにすることも可能である。
【０１４１】
また、音響振動板の形状も円形、扇形、三角形など、種々の形状とすることができる。また、複数も受けられる音響振動板毎に形状を異ならせることもできる。また、形状や大きさを音響振動板毎に異ならせるようにしてもよい。例えば、高域側の音声を放音する音響振動板よりも、低域側音声を放音する音響振動板を大きくするなどのことも可能である。
【０１４２】
また、音響振動板の材質も、マグネシウムと紙に限るものではない。マグネシウムだけの音響振動板を用いたり、紙だけの音響振動板を用いたりすることももちろん可能である。また、マグネシウムや紙以外の素材の音響振動板を用いるようにすることももちろん可能である。例えば、プラスチック、ガラス、種々の繊維など、様々な材質の音響振動板を用いるようにすることもできる。
【０１４３】
［この実施の形態のスピーカー装置の応用例（変形例３）］
図１９は、この発明の一実施の形態のスピーカー装置の応用例を説明するための図である。この図１９に示す応用例は、例えば、テレビ受像機などのディスプレイ装置に、この発明の一実施の形態のスピーカー装置を適用した場合の例である。
【０１４４】
この例のスピーカー装置は、基本的に、図１、図２等を用いて説明したスピーカー装置の場合と同様に、例えばアクリル板により形成された音響振動板と、炭素繊維やピアノ線などの振動伝達部材と、振動伝達部材を加振するアクチュエータとかなる。
【０１４５】
この例のスピーカー装置は、図１９に示すように、例えば、ＣＲＴ（cathode Ray Tube）、ＬＣＤ（Liquid Crystal Display）、有機ＥＬ（Electroluminescence）パネル、ＰＤＰ（Plasma Display Panel）などである表示素子の前面側に設けられるものである。
【０１４６】
具体的には、図１９に示すように、表示素子７の前側に、例えばアクリル板の音響振動板１が設けられる。この音響振動板１において、表示素子７の表示画面の周囲の部分となるフレーム部１ｆの左側には、振動伝達部材２Ｌが設けられ、フレーム部１ｆの右側には、振動伝達部材２Ｒが設けられる。
【０１４７】
これら振動伝達部材２Ｌ、２Ｒのそれぞれは、振動伝達部材１に対して接触するようにして設けられている。そして、振動伝達部材２Ｌの下端側には、アクチュエータ３Ｌが設けられ、振動伝達部材２Ｒの下端側には、アクチュエータ３Ｒが設けられる構成となっている。
【０１４８】
そして、振動伝達部材２Ｌ、２Ｒに対しては、アクチュエータ３Ｌ、３Ｒによって、図１９において両矢印が示すように、その下端側から音声信号に応じた振動が加えられるようにされる。
【０１４９】
この場合、アクチュエータ３Ｌは、左右２チャンネルの音声信号の内、左チャンネルの音声信号に応じた振動を発生させる。同様に、アクチュエータ３Ｒは、左右２チャンネルの音声信号の内、右チャンネルの音声信号に応じた振動を発生させる。
【０１５０】
これにより、音響振動板１の主に左側に、振動伝達部材２Ｌを通じて効率よく左チャンネルの音声信号に応じた振動が伝達するようにされ、伝達された振動に応じた音声が音響振動板１の左側から放音するようにされる。
【０１５１】
同様に、音響振動板１の主に右側に、振動伝達部材２Ｒを通じて効率よく右チャンネルの音声信号に応じた振動が伝達するようにされ、伝達された振動に応じた音声が音響振動板１の右側から放音するようにされる。
【０１５２】
そして、この場合、表示素子の表示画面７の前面側に位置する音響振動板１が振動することにより音声が放音するようにされるので、映像が表示される表示素子の表示画面と同じ方向から、表示される映像に対応する音声が放音するようにされる。
【０１５３】
これにより、映像が表示される表示画面と同じ方向から、当該映像と同期を取って再生するべき音声を放音することができるので、再生される映像と共に、違和感なく対応する音声をも聴取することができるようにされる。
【０１５４】
［実施の形態の効果］
この実施の形態のスピーカー装置は、音響振動板に対して、アクチュエータからの振動に応じた粗密波を伝達するための振動伝達部材を接触させて設けることにより、音響振動板に対して、粗密波を効率よく伝達することができる。
【０１５５】
すなわち、音響振動板とアクチュエータの機械インピーダンスのマッチングが十分に取れない場合でも、振動伝達部材を用いることによって、振動の伝達効率（伝播効率）をあげることができる。
【０１５６】
これにより、従来よりも広い周波数帯域をカバーするスピーカー装置を実現することができる。また、音像定位効果に関しても、音響振動板の全体にわたってより均一な音像定位効果が得られる。
【０１５７】
また、素材の異なる複数の音響振動板を用いる構成とすることで、更に広い周波数帯域をカバーするスピーカー装置を実現することができる。
【０１５８】
また、音響振動板に対して振動伝達部材を接触させる構成とすることで、振動を効率よく伝達できることにより、音響振動板として従来利用できなかった素材のものを利用することができるようになる。
【０１５９】
例えば、薄いプラスチックやクラフト紙、薄く加工したマグネシウム板などを利用することができるようにされる。これにより、音響振動板が加工しやすくなり、従来のスピーカーとは全く異なるデザインのスピーカー装置を実現することができる。すなわち、スピーカー装置についてのデザイン性の自由度を拡大することができる。
【０１６０】
［その他］
［構成要素の素材、形状、大きさ等］
なお、上述もしたように、音響振動板の素材、形状、大きさは種々のものを用いることが可能である。また、振動伝達部材の素材、形状、大きさも種々のものを用いることができる。また、音響振動板の数、振動伝達部材の数、アクチュエータの数等も適宜の数とすることができる。
【０１６１】
これら、音響振動板の素材、形状、大きさ、振動伝達部材の素材、形状、大きさ、音響振動板の数、振動伝達部材の数、アクチュエータの数等は、放音音声の目的とする音響特性（周波数特性、時間応答、位相特性等）を実現可能な範囲で適宜選択可能である。
【０１６２】
また、上述もしたように、振動伝達部材２は、音響振動板１よりも「内部損失」が小さく、「音速」の速いものを用いるようにすることを説明した。ここで、音響振動板１と振動伝達部材２との素材の選択について、具体例を示す。
【０１６３】
例えば、音響振動板１の形成素材としては、例えば、エポキシ樹脂や紙（コーン紙）などを用いることが考えられる。ここで、エポキシ樹脂の「内部損失」は、０．０２６であり、「音速」は、１７００ｍ／ｓｅｃ（ミリ秒）である。また、紙（コーン紙）の「内部損失」は、０．０４であり、「音速」は、１６５０ｍ／ｓｅｃ（ミリ秒）である。
【０１６４】
したがって、音響振動板１として、エポキシ樹脂や紙（コーン紙）を用いる場合には、上述した内部損失よりも小さな内部損失を有し、上述した音速よりも速い音速を有する材質の振動伝達部材２を用いる必要が生じる。
【０１６５】
この場合、振動伝達部材２の候補としては、例えば、チタン（Titanium）が挙げられる。チタンの「内部損失」は、０．００２であり、「音速」は、４９５０ｍ／ｓｅｃである。このため、エポキシ樹脂や紙（コーン紙）を音響振動板１として用いる場合には、例えば、チタンにより形成した振動伝達部材２を用いることにより、アクチュエータからの信号を、振動伝達部材２を通じて効率よく音響振動板２に伝達することができる。
【０１６６】
このように、振動伝達部材２は、用いる音響振動板１の素材に比べて、十分に小さな「内部損失」を有し、十分に早い「音速」を有する種々の素材によって形成するようにすればよい。
【０１６７】
また、アクチュエータも、圧電アクチュエータ、動電アクチュエータ、超磁歪アクチュエータなど種々のアクチュエータを用いることが可能である。
【０１６８】
また、音響振動板として用いるようにする紙も種々の種類のものを用いることが可能である。例えば、画用紙やクラフト紙、その他、種々の加工を施した加工紙などを用いることが可能である。
【０１６９】
［振動伝達部材の構成例］
また、振動伝達部材２は、予め長さが決まったものに限るものではない。振動伝達部材２は、長さ調整が可能な構成のものを用いるようにすることもできる。例えば、振動伝達部材の構造を、複数の太さの異なる振動伝達部材が伸び縮み可能ないわゆるアンテナロッドの構造とすることが可能である。
【０１７０】
また、先端にネジ（片側オスネジ、片側メスネジ）が切ってある複数の振動伝達部材を用意し、必要に応じてオスネジとメスネジとをつなぎ合わせることにより、１本の振動伝達部材を構成することが可能である。
【０１７１】
そして、例えば、図５（Ｂ）に示した長さの振動伝達部材と、図５（Ｃ）に示した長さの振動伝達部材とを、必要に応じて伸び縮み可能なように連結しておいたり、あるいは、必要に応じて連結したりできるようにしておく。
【０１７２】
これにより、例えば、音響振動板が、比較的に内部損失が大きいものである場合には、長く伸ばして接触させ、逆に、音響振動板が、比較的に内部損失が小さいものである場合には、短く調整して接触させるようにするなどの調整をユーザー自身が行うことができる。
【０１７３】
このように、振動伝達部材の長さの調整が可能な構成にしておくことにより、例えば、音響振動板と振動伝達部材とをユーザー自身が選択可能である場合において、音響振動板と振動伝達部材との接触状態を調整する必要がある場合において便利である。
【０１７４】
［適用可能な装置等］
また、上述した実施の形態においては、この発明の一実施の形態のスピーカー装置を、テレビ受像機に応用した場合について説明したが、これに限るものではない。テレビ受像機以外にも、この発明のスピーカー装置を適用することも可能である。たとえば、携帯電話端末や携帯型ゲームなどに、この発明のスピーカー装置を適用することができる。
【０１７５】
特に、折り畳み式の携帯情報端末に対しても、この発明のスピーカー装置を適用することができる。折り畳み式の携帯情報端末において、例えば、表示画面の方に音響振動板を設け、本体側にアクチュエータを設けるようにしても、振動伝達部材は、曲げることが可能であるので、折り畳むことが可能である。また、この場合において、使用時に、振動伝達部材が伸びた状態にあれば、音響振動板に対して効率よく振動を伝達することもできる。
【０１７６】
また、自動車のフロントガラス部分や、その他の窓ガラス部分にこの発明を適用することもできる。また、家屋の窓部分、洗面所や浴室の鏡部分、あるいは、部屋に置かれたドレッサーの鏡部分など、種々の位置にこの発明のスピーカー装置を適用することが可能である。
【符号の説明】
【０１７７】
１…音響振動板、２…振動伝達部材、３…アクチュエータ、４…角穴部、１ａ、１ｂ、１ｃ…音響振動板、２ａ、２ｂ、２ｃ、２ｄ、２ｘ、２ｙ…振動伝達部材、１ｆ…フレーム部、２Ｌ、２Ｒ…振動伝達部材、３Ｌ、３Ｒ…アクチュエータ、５…両端アクチュエータ、６…切り欠き部、７…表示素子
【図１】
2010263512.tif 000003
【図２】
2010263512.tif 000004
【図３】
2010263512.tif 000005
【図４】
2010263512.tif 000006
【図５】
2010263512.tif 000007
【図６】
2010263512.tif 000008
【図７】
2010263512.tif 000009
【図８】
2010263512.tif 000010
【図９】
2010263512.tif 000011
【図１０】
2010263512.tif 000012
【図１１】
2010263512.tif 000013
【図１２】
2010263512.tif 000014
【図１３】
2010263512.tif 000015
【図１４】
2010263512.tif 000016
【図１５】
2010263512.tif 000017
【図１６】
2010263512.tif 000018
【図１７】
2010263512.tif 000019
【図１８】
2010263512.tif 000020
【図１９】
2010263512.tif 000021